(57)【要約】【課題】外周側床パネルと内周側床パネルとの構造を異ならせることによって躯体への振動伝播を抑制すること。【解決手段】壁面Ｗ側に配置される外周側床パネルＰＡと、この外周側床パネルＰＡの内側に配置される内周側床パネルＰＢとを備えて二重床の床パネルＰが構成されている。外周側床パネルＰＡの面密度は内周側床パネルＰＢの面密度よりも大きい材料により構成され、相対的に強い曲剛性によって揺れ難く設けられて内周側床パネルからの振動が抑制できるようになっている。また、外周側床パネルＰＡは、ヤング率を大きい材料によって構成したり、補強手段を設けたりすること等によっても振動を抑制することができる。【選択図】          図３
2004218206.tif 000002
【特許請求の範囲】
【請求項１】
スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりも面密度の大きい材料により構成されていることを特徴とする二重床の床パネル構造。
【請求項２】
スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりもヤング率の大きい材料により構成されていることを特徴とする二重床の床パネル構造。
【請求項３】
スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりも剛性を高くする補強手段を備えて構成されていることを特徴とする二重床の床パネル構造。
【請求項４】
スラブ上に所定間隔を隔てて配置される二重床の床パネル構造であって、
壁面側に配置される外周側床パネルと、この外周側床パネルの内側に配置される内周側床パネルとからなり、
前記外周側及び内周側床パネルは下地パネル及び仕上げパネルの積層体により構成され、
前記外周側床パネルは、前記下地パネルと仕上げパネルとの間に振動吸収部材を更に備えて構成されていることを特徴とする二重床の床パネル構造。
【請求項５】
スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりもパネル厚が大きく設けられていることを特徴とする二重床の床パネル構造。
【請求項６】
スラブ上に所定間隔を隔てて配置される二重床の床パネル構造であって、
壁面側に配置される外周側床パネルと、この外周側床パネルの内側に配置される内周側床パネルとからなり、外周側床パネルの内周側床パネルとの接触縁に対して平面内で略垂直な方向の寸法よりも内周側床パネルの前記方向の寸法が大きく設けられていることを特徴とする二重床の床パネル構造。
【発明の詳細な説明】
【０００１】
【発明の属する技術分野】
本発明は二重床の床パネル構造に係り、更に詳しくは、床パネルを通じて躯体に伝わる振動振幅を効果的に低減することのできる二重床の床パネル構造に関する。
【０００２】
【従来の技術】
従来より、コンクリート製のスラブ等からなる躯体の上面側に一定の空間を形成するように防振支持脚を介して床パネルを支持した二重床が知られている。この二重床における床衝撃音性能は、防振支持脚を介して躯体（スラブ）に伝わる系と、壁面側に位置する外周側床パネルから際根太を介して躯体（壁面）に伝わる系とに分けられる。二重床構造には、外周側床パネルを固定際根太や防振際根太を介して支持した構成（特許文献１参照）、外周側床パネルと内周側床パネルとが同一とされた構成（特許文献２参照）、下地パネルと仕上げパネルとの間に振動吸収部材を介在させた構成（特許文献３参照）が知られている。
【０００３】
【特許文献１】特許第２８４２６３２号公報
【特許文献２】特開２０００−３０３６６５号公報
【特許文献３】特許第３０１３３１５号公報
【０００４】
【発明が解決しようとする課題】
しかしながら、外周側床パネルを固定際根太や防振際根太を介して支持した構成にあっては、防振支持脚を通じた伝播系での減衰性能よりも性能が劣ることが多く、この部分で床衝撃音性能が決定されてしまう、という不都合がある。
また、外周側床パネルと内周側床パネルとが同一の構造体とされた場合、内周側床パネル領域で発生した振動は、その仕上げパネル表面を伝わって外周側床パネルまで行き渡っていた。そのため、二重床と、固定若しくは防振際根太の伝播ロスだけが減衰性能を発現しているのが実状であり、十分な減衰性能を得るには至っていない。
更に、フロア面を形成する全ての床パネルの構造として、下地パネルと仕上げパネルとの間に振動吸収部材を介在させた構成では、全ての床パネルが振動吸収部材を備えた構造となり、床パネル自体の製造コストが大幅に上昇してしまう不都合がある。しかも、床パネルの施工に時間を要するだけでなく、下地パネルと仕上げパネルとが一体化した構造とならないため、床面としての剛性が低くなって歩行感も悪くなるという不都合もある。加えて、この構成では、軽量床衝撃音で一定の効果を発揮するものの、重量床衝撃音では剛性不足によって衝撃時に大きな振動を発生して床衝撃音レベルを却って悪くするという不都合を招来する。
【０００５】
【発明の目的】
本発明は、このような不都合に着目して案出されたものであり、その目的は、二重床の一部構造を改良することによって防振性能を向上させることのできる床パネル構造を提供することにある。
【０００６】
【課題を解決するための手段】
前記目的を達成するため、本発明は、二重床を構成する外周側の床パネルと内周側の床パネルとの構造を異ならせる、という構成を採っている。
具体的には、本発明は、スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりも面密度の大きい材料により構成される、という構成を採っている。このような構成とすれば、面密度の増加に伴い、機械インピーダンス（Ｚ∝√ＢＭ，Ｂ：曲剛性、Ｍ：面密度）が増加することになり、これにより、外周側床パネルを揺れ難くして外周側床パネルの振動振幅を低減することができ、内周側床パネルから壁面への振動伝播を抑制することが可能となる。
【０００７】
また、本発明は、スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりもヤング率が大きい材料により構成される、という構成を採用することもできる。すなわち、平板の場合、曲剛性Ｂは、Ｂ＝Ｅｈ３／１２、Ｅ：ヤング率、ｈ：厚さであるから、ヤング率を大きくすることで曲剛性が増加することになるため、面密度の大きい材料を用いた場合と同様に振動振幅を低減することができる。
【０００８】
更に、本発明は、スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりも剛性を高くする補強手段を備える、という構成としてもよい。このような補強手段によっても曲剛性を増加させることができる。なお、補強手段としては、外周側床パネルを支持する際根太の使用数を増やすことが例示でき、これにより、外周側床パネルの等価厚さが厚くなり、曲剛性Ｂを増加させて外周側床パネルにて振動振幅を低減することができる。また、他の補強手段としては、金属又は樹脂からなる板若しくは桟、フレーム等も例示でき、これを外周側床パネルの構成部材として採用することができる。
【０００９】
また、本発明は、スラブ上に所定間隔を隔てて配置される二重床の床パネル構造であって、
壁面側に配置される外周側床パネルと、この外周側床パネルの内側に配置される内周側床パネルとからなり、
前記外周側及び内周側床パネルは下地パネル及び仕上げパネルの積層体により構成され、
前記外周側床パネルは、前記下地パネルと仕上げパネルとの間に振動吸収部材を更に備える、という構成としてもよい。これによっても振動振幅を低減することができる。なお、振動吸収部材を設けた場合には、内周側床パネルに比べて相対的に歩行感が悪くなることになるが、外周側床パネルのように特定の領域に絞った場合には、歩行感の低下はさほど問題にならないと言える。
【００１０】
更に、本発明は、スラブ上に所定間隔を隔てて配置される二重床の床パネル構造であって、
壁面側に配置される外周側床パネルと、この外周側床パネルの内側に配置される内周側床パネルとからなり、前記外周側床パネルは、内周側床パネルよりもパネル厚を大きく設ける、という構成も採ることができ、これによっても曲剛性を増加させて振動振幅を低減することが可能となる。
【００１１】
また、本発明は、スラブ上に所定間隔を隔てて配置される二重床の床パネル構造であって、
壁面側に配置される外周側床パネルと、この外周側床パネルの内側に配置される内周側床パネルとからなり、外周側床パネルの内周側床パネルとの接触縁に対して平面内で略垂直な方向の寸法よりも内周側床パネルの前記方向の寸法が大きく設けられる、という構成を採ることができる。このような構成とすれば、端部で振幅が大きくなるモードが励振され難くなり、これにより、外周側床パネルを振動し難くすることができ、振動振幅を低減することが可能となる。
【００１２】
【実施例】
以下、本発明の実施例を図面を参照しながら説明する。
【００１３】
図１には、本実施例に係るパネル支持構造の概略平面図が示され、図２には、図１のＡ−Ａ線矢視拡大断面図が示されている。これらの図において、コンクリート製のスラブＳの上面側で空間Ｃを形成する所定の高さ位置に床パネルＰを配置して二重床が形成されている。この床パネルＰは、壁面Ｗに沿って配置された外周側床パネルＰＡと、これら外周側床パネルＰＡで囲まれる内側領域に配置された内周側床パネルＰＢとをスラブＳ上に所定間隔を隔てて配置されている。これらの床パネルＰは、平面視略長方形状に設けられ、前記スラブＳ上に設置されて内周側床パネルＰＢの四つの角及び外周側床パネルＰＡの壁面と接しない角の下面側に配置された公知の防振支持脚１０を介して支持されているとともに、外周側床パネルＰＡの壁面側端部は、束１１上に配置された根太１２を介して支持されている。また、後述するように、外周側床パネルＰＡと内周側床パネルＰＢは面密度が同程度又は同じ材料で、同じ厚みを備えて構成されている。
【００１４】
ところで、重量床衝撃音で大きな加振を受ける６３Ｈｚ以下の領域では、前記外周側床パネルＰＡの内周側床パネルＰＢとの接触縁に対して平面内で略垂直な方向の寸法ＷＡと、内周側床パネルＰＢの上記寸法ＷＢ又はＷＣが同様の場合、部屋の壁面から壁面までの長さが床パネルの幅の整数倍となり、パネル接合部を腹とする振動モードで床パネル外周が最大振幅となる。このとき、パネル接合部（支持脚部）は固定部（振動の節）ではなく、最大振幅部（振動の腹）となっている。この周波数領域では、このときにパネル外周部が根太など壁構造部位と衝突する音が躯体に伝達し、主要な騒音源となることが知られている。本実施例においては、前記外周側床パネルＰＡの前記寸法ＷＡよりも、内周側床パネルＰＢの前記方向の寸法ＷＢ又はＷＣの方が大きく設定されている。このような構成を採ることにより、内周側床パネルＰＢの支持脚部（パネル接合部）が大振幅となるような振動では外周側床パネルの幅が小さいと壁に接する部分の振幅は内周側の支持脚部よりも小さく抑えられることになり、躯体への振動伝播を抑制することが可能になる。なお、図示例では、外周側床パネルＰＡの寸法ＷＡが四方で全て同じになっているが、その必要は無く、内周側床パネルの寸法ＷＢ又はＷＣに応じて適宜決定すればよい。
【００１５】
前記外周側床パネルＰＡ及び内周側床パネルＰＢは、特に限定されるものではないが、下地パネルＰ１と、その上面に敷設されたフローリング等からなる仕上げパネルＰ２との複層構造体であり、相互に略同一の厚みを備えて構成されている。下地パネルＰ１は、例えば、パーチクルボード等の板材が用いられている一方、仕上げパネルＰ２は合板により構成されている。
【００１６】
図３（Ａ）及び（Ｂ）には、外周側床パネルＰＡ及び内周側床パネルＰＢの概略断面が示されている。ここで、下地パネルＰ１の断面中に示されている○は、その数が少ない方が面密度が大きいことを示し、多い方が面密度が小さいことを示している。すなわち、図３から明らかなように、外周側床パネルＰＡの下地パネルＰ１は、内周側床パネルＰＢの下地パネルＰ１に対して面密度が増加して質量が重い材料若しくはヤング率が大きい材料とされている。従って、外周側床パネルＰＡは、機械インピーダンスが増加することとなって内周側床パネルＰＢに対して揺れ難い相対関係となり、内周側床パネルＰＢの仕上げパネルＰ２から外周側床パネルＰＡの仕上げパネルＰ２に伝わる振動は外周側床パネルＰＡで吸収され、これによって、躯体をなす壁面Ｗへの振動伝播が効果的に抑制される二重床を提供することができる。
【００１７】
図３（Ｃ）には、仕上げパネルＰ２と下地パネルＰ１との間に振動吸収部材Ｐ３を介装した外周側床パネルＰＡの他の例が示されている。この振動吸収部材Ｐ３としては、発泡シート、ゴム、シリコーン等の弾性シートを例示することができる。このような構成を備えた外周側床パネルＰＡは、振動吸収部材Ｐ３の存在によって内周側床パネルＰＢからの振動が吸収でき、内周側床パネルＰＢの従来構造をそのまま利用した経済的な二重床構造を提供することができる。
【００１８】
なお、前記振動吸収部材Ｐ３に代えて、金属製又は樹脂製の板材若しくはシート材等からなる補強手段を全面的又は部分的に用いることができ、この補強手段により、外周側床パネルＰＡの曲剛性を高めて当該外周側床パネルＰＡを揺れ難くして振動を吸収できるようにしてもよい。また、外周側床パネルＰＡを支持する際根太を増やすことによって等価厚さを厚くし、これによって外周側床パネルＰＡの補強手段とすることができる。なお、補強手段は、仕上げパネルＰ２及び下地パネルＰ１間に配置しなくてもよく、下地パネルＰ１の下面側に配置してもよい。また、板材若しくはシート材の補強手段に代えて、長手方向に延びる複数本の桟、或いは格子状に組み合わされたフレーム等を補強手段として採用することもできる。
【００１９】
更に、図示省略しているが、外周側床パネルＰＡと内周側床パネルＰＢとが面密度が同程度又は同じ材料である場合には、外周側床パネルＰＡにおける下地パネルＰ１の厚みを内周側床パネルＰＢの下地パネルＰ１よりも厚く設けて剛性を高める構造としてもよく、これによっても外周側床パネルＰＡを揺れ難くして振動吸収を行なわせることが可能となる。
【００２０】
【発明の効果】
以上説明したように、本発明によれば、二重床を構成する外周側の床パネルと内周側の床パネルとの構造を異ならせたから、具体的には、内周側床パネルに対する外周側床パネルの質量を相対的に重くしたり、或いはヤング率を大きな材料によって構成したから、外周側床パネルが揺れ難くなり、振動振幅を低減して躯体への振動伝播を抑制することが可能な二重床の床パネル構造を提供することができる。
【００２１】
また、外周側床パネルに補強手段を設けた構成、或いは、パネル厚さを内周側床パネルの厚さよりも厚く設けた構成を採用したから、質量増加等と同様に外周側床パネルを揺れ難くして躯体への振動伝播を抑制することができる。
【００２２】
更に、外周側床パネルのみに振動吸収部材を設けた構成によれば、内周側床パネルの製造上のコスト負担を伴うことなく効果的な振動吸収を行なうことが可能となる。
【００２３】
また、外周側床パネルの内周側床パネルとの接触縁に対して平面内で略垂直な方向の寸法よりも、内周側床パネルの前記方向の寸法が大きくされた構成によれば、外周側床パネルを支持する根太における振動振幅を内周側床パネルを支持する防振支持脚における振動振幅よりも小さく抑えることができ、躯体への振動伝播を抑制することが可能となる。
【図面の簡単な説明】
【図１】本実施例に係る二重床の平面図。
【図２】図１のＡ−Ａ線矢視拡大断面図。
【図３】（Ａ）は外周側床パネルの部分断面図、（Ｂ）は内周側床パネルの部分断面図、（Ｃ）は外周側床パネルの他の例を示す部分断面図。
【符号の説明】
１０…防振支持脚、１１…束、１２…根太、Ｐ…床パネル、ＰＡ…外周側床パネル、ＰＢ…内周側床パネル、Ｐ１…下地パネル、Ｐ２…仕上げパネル、Ｐ３…振動吸収部材、Ｓ…スラブ、Ｗ…壁面
【図１】
2004218206.tif 000003
【図２】
2004218206.tif 000004
【図３】
2004218206.tif 000005